(57)【要約】【課題】視聴可能な範囲に存在する人物が如何なる人物であれ、それぞれに最適な情報提供を行なう。【解決手段】表示装置１が視認可能な範囲に存在する人物が、予め設定された条件に適合する特定人物か否かをブルートゥース（登録商標）アンテナ28、ブルートゥース（登録商標）コントローラ26を介して判定し、その判定結果に応じて、表示装置１で表示するコンテンツまたはその表示態様を決定するＣＰＵ19を備える。【選択図】図２
2018045166.tif 000002
【特許請求の範囲】
【請求項１】
表示装置であって、
当該表示装置が視認可能な範囲に存在する人物が、予め設定された条件に適合する特定人物か否かを判定する第１の判定手段と、
上記第１の判定手段での判定結果に応じて、当該表示装置で表示するコンテンツまたはその表示態様を決定する表示制御手段と、
を備える表示装置。
【請求項２】
上記表示制御手段は、上記第１の判定手段により特定人物であると判定した場合、当該特定人物に向けたコンテンツを表示するように制御する請求項１記載の表示装置。
【請求項３】
上記表示制御手段は、上記第１の判定手段により特定人物ではないと判定した場合、不特定多数に向けたコンテンツを表示するように制御する請求項１または２記載の表示装置。
【請求項４】
当該表示装置が視認可能な範囲に存在する人物の人数を判定する第２の判定手段をさらに備え、
上記表示制御手段は、上記第１の判定手段により特定人物であると判定し、且つ上記第２の判定手段により人物が一人と判定した場合、当該特定人物に向けたコンテンツを表示するように制御する
請求項１乃至３いずれか記載の表示装置。
【請求項５】
上記表示制御手段は、上記第１の判定手段により特定人物であると判定し、且つ上記第２の判定手段により人物が複数人と判定した場合、不特定多数に向けたコンテンツを表示するように制御する
請求項４記載の表示装置。
【請求項６】
上記表示制御手段は、上記第１の判定手段により少なくとも一人の人物が特定人物であると判定し、且つ上記第２の判定手段により人物が複数人と判定した場合、不特定多数に向けたコンテンツと当該特定人物に向けたコンテンツとを合成して表示するように制御する
請求項４記載の表示装置。
【請求項７】
上記表示制御手段は、上記特定人物に向けたコンテンツまたは上記特定人物ではない不特定多数に向けたコンテンツと特定人物に向けたコンテンツとを合成したコンテンツを表示した後、上記不特定多数に向けたコンテンツを表示するように制御する
請求項４または６記載の表示装置。
【請求項８】
上記第１の判定手段は、当該表示装置が視認可能な範囲に存在する人物が、予め設定された近距離無線信号の発信に応答する機器を所有しているか否かにより特定人物か否かを判定する請求項１乃至７いずれか記載の表示装置。
【請求項９】
上記表示制御手段は、上記特定人物が所有している上記機器から、常用しているアプリケーションプログラムの属性情報を取得し、取得したアプリケーションプログラムの属性情報に基づいて当該特定人物に向けたコンテンツを表示する請求項８記載の表示装置。
【請求項１０】
表示装置での表示方法であって、
当該表示装置が視認可能な範囲に存在する人物が、予め設定された条件に適合する特定人物か否かを判定する判定工程と、
上記判定工程での判定結果に応じて、当該表示装置で表示するコンテンツまたはその表示態様を決定する表示制御工程と、
を有する表示方法。
【請求項１１】
表示装置が内蔵したコンピュータが実行するプログラムであって、上記コンピュータを、
当該表示装置が視認可能な範囲に存在する人物が、予め設定された条件に適合する特定人物か否かを判定する判定手段、及び
上記判定手段での判定結果に応じて、当該表示装置で表示するコンテンツまたはその表示態様を決定する表示制御手段、
として機能させるプログラム。
【発明の詳細な説明】
【技術分野】
【０００１】
本発明は、例えば店舗等に設置するデジタルサイネージ装置等に好適な表示装置、表示方法及びプログラムに関する。
【背景技術】
【０００２】
近年、デジタルサイネージが広く一般に普及している。デジタルサイネージは、多数の人目のつく場所、例えば街角や店舗、駅等に設置した大画面のビデオディスプレイ（デジタルサイネージ端末）に、映像や各種情報を配信する電子看板システムであり、広告情報を配信することによって広告媒体としても活用されている。
【０００３】
そして、上記デジタルサイネージ端末による広告を効果的に行なうべく、種々の技術が提案されている。（例えば、特許文献１）
【先行技術文献】
【特許文献】
【０００４】
【特許文献１】特開２０１２−０９８５９８号公報
【発明の概要】
【発明が解決しようとする課題】
【０００５】
上記特許文献に記載された技術では、任意の地点に設置されたデジタルサイネージ端末と、上記デジタルサイネージ端末とネットワーク接続された広告提供管理装置とを備え、上記広告提供管理装置が、デジタルサイネージ端末の近傍に存在する視聴者の所持する携帯端末から識別情報を取得し、取得した識別情報に基づいて上記視聴者のデモグラフィック情報を取得し、取得した上記デモグラフィック情報が複数の上記視聴者を表す場合に、上記デモグラフィック情報の属性毎に最も頻度の高い最頻属性値を決定し、決定した最頻属性値に基づいて広告コンテンツを選択して、上記デジタルサイネージ端末に配信して再生させている。
【０００６】
しかしながら、デジタルサイネージはその性格上、特定の視聴者だけではなく、不特定多数の視聴者に向けた情報提供も望まれ、デジタルサイネージが視聴可能な範囲に存在する人物が如何なる人物であれ、それぞれに最適な情報提供を行なう技術が求められている。
【０００７】
本発明は上記のような実情に鑑みてなされたもので、その目的とするところは、視聴可能な範囲に存在する人物が如何なる人物であれ、それぞれに最適な情報提供を行なうことが可能な表示装置、表示方法及びプログラムを提供することにある。
【課題を解決するための手段】
【０００８】
本発明の一態様は、表示装置であって、当該表示装置が視認可能な範囲に存在する人物が、予め設定された条件に適合する特定人物か否かを判定する第１の判定手段と、上記第１の判定手段での判定結果に応じて、当該表示装置で表示するコンテンツまたはその表示態様を決定する表示制御手段と、を備える。
【発明の効果】
【０００９】
本発明によれば、視聴可能な範囲に存在する人物が如何なる人物であれ、それぞれに最適な情報提供を行なうことが可能となる。
【図面の簡単な説明】
【００１０】
【図１】本発明の一実施形態に係るコンテンツ再生システム全体の構成を示す図。
【図２】同実施形態に係るサイネージ装置の電子回路の機能構成を示すブロック図。
【図３】同実施形態に係るリスト端末の電子回路の機能構成を示すブロック図。
【図４】同実施形態に係るサイネージ装置がコンテンツを再生する際の処理内容を示すフローチャート。
【図５】同実施形態に係るサイネージ装置のスクリーンパネルで投影表示される画像を例示する図。
【図６】同実施形態に係るサイネージ装置のスクリーンパネルで投影表示される画像を例示する図。
【発明を実施するための形態】
【００１１】
以下、本発明を、店舗等で商品宣伝用のコンテンツを出力するためのコンテンツ再生システムに適用した場合の一実施形態について図面を参照して詳細に説明する。
【００１２】
図１は、本コンテンツ再生システム全体の構成を示す図である。同図において、１は店舗内に設置されるサイネージ装置であり、インターネットを含むネットワークＮＷと接続されている。
【００１３】
ネットワークＮＷはさらに、上記サイネージ装置１に対して各種コンテンツデータを提供するサーバ装置ＳＶとも接続される。
【００１４】
上記サイネージ装置１は、本体筐体１Ａ上に白色半透明板状のスクリーンパネル１Ｂを立設し、当該スクリーンパネル１Ｂの背面下方から画像を投影することにより、図示する如く人型の各種キャラクタや商品情報などの画像を任意に表示する。
【００１５】
またサイネージ装置１の本体筐体１Ａの前面には、例えば焦電素子を用いた人感センサ１Ｃと、サイネージ装置１の前方に位置する、上記スクリーンパネル１Ｂを視認可能な範囲を撮像する、広角系レンズを用いたカメラ部１Ｄとを設ける。
【００１６】
さらにこの本体筐体１Ａからは、本体筐体１Ａを中心とした一定の距離半径、例えば１０［ｍ］以内で通信可能なビーコン信号ＢＣを発信するものとする。このビーコン信号ＢＣは、例えばブルートゥース（登録商標）  ＬＥ（Ｌｏｗ  Ｅｎｅｒｇｙ）規格に則って、上記した一定の距離以内に到達した受信装置で受信可能となる。
【００１７】
一方で、このサイネージ装置１が設置される店舗を訪れる顧客が、携帯端末としてのスマートフォン２を所持し、ウェアラブルコンピュータとしてのリスト端末３を装着して来店するものとする。これらスマートフォン２及びリスト端末３は、近距離無線通信規格であるブルートゥース（登録商標）規格での信号の送受によってペアリング設定され、それぞれに予めインストールされているアプリケーションプログラムに従って連携して動作し、必要なデータの送受を相互間で行なっているものとする。
【００１８】
上記リスト端末３は、表示入力部３Ａを有し、時刻等の計時情報に限らず、種々の情報や画像コンテンツ等を表示すると共に、その表面に手指をタッチしての各種指示操作が可能となる。
【００１９】
また上記リスト端末３は、上記サイネージ装置１が発信するビーコン信号ＢＣを受信可能となる。このリスト端末３とスマートフォン２には、サイネージ装置１からのビーコン信号ＢＣを受信した場合に自動的に起動される、上記サイネージ装置１が設置された店舗のサービス専用のアプリケーションプログラム（以下「アプリ」と称する）を予めインストール済みであるものとする。
【００２０】
次に図２により上記サイネージ装置１の主として電子回路の機能構成を説明する。  
コンテンツメモリ１１には、上記サーバ装置ＳＶから提供された、一般客向けの商品情報や、後述する顧客毎のお薦め商品、キャンペーン期間中のプレゼント企画等の各種情報に関するコンテンツデータが予め記憶される。これらコンテンツデータはそれぞれ、画像データ及び音データ等から構成される。コンテンツデータ中の画像データは、後述するＣＰＵ１９により読出され、システムバスＳＢを介して投影画像駆動部１２に送られる。
【００２１】
投影画像駆動部１２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子１３を表示駆動する。
【００２２】
このマイクロミラー素子１３は、ＭＥＭＳ（Ｍｉｃｒｏ  Ｅｌｅｃｔｒｏ  Ｍｅｃｈａｎｉｃａｌ  Ｓｙｓｔｅｍｓ）技術により製造され、アレイ状に配列された複数個、例えばＷＸＧＡ（横１２８０画素×縦８００画素）分の微小ミラーの各傾斜角度を個々に高速でオン／オフ動作して表示動作することで、その反射光により光像を形成する。
【００２３】
一方で、光源部１４から時分割でＲ，Ｇ，Ｂの原色光が循環的に出射される。光源部１４は、半導体発光素子であるＬＥＤを有し、Ｒ，Ｇ，Ｂの原色光を時分割で繰返し出射する。光源部１４が有するＬＥＤは、広義でのＬＥＤとして、ＬＤ（半導体レーザ）や有機ＥＬ素子を含むものとしても良い。
【００２４】
この光源部１４からの原色光が、ミラー１５で反射して上記マイクロミラー素子１３に照射される。そして、マイクロミラー素子１３での反射光で光像が形成され、形成された光像が投影レンズ部１６を介して、個々では図示しない上記スクリーンパネル１Ｂに背面側から投射される。
【００２５】
またコンテンツデータ中の音声データは、ＣＰＵ１９により読出され、システムバスＳＢを介して音処理部１７に送られる。音処理部１７は、ＰＣＭ音源等の音源回路を備え、音声データをアナログ化した上で増幅し、スピーカ部１８を駆動して放音させる。
【００２６】
上記各回路の動作すべてをＣＰＵ１９が制御する。このＣＰＵ１９は、メインメモリ２０及びプログラムメモリ２１と直接接続される。メインメモリ２０は、例えばＳＲＡＭで構成され、ＣＰＵ１９のワークメモリとして機能する。プログラムメモリ２１は、電気的書換可能な不揮発性メモリ、例えばフラッシュＲＯＭで構成され、ＣＰＵ１９が実行するアプリを含む動作プログラムや各種定型データ等を記憶する。
【００２７】
ＣＰＵ１９は、上記プログラムメモリ２１に記憶されている動作プログラムや定型データ等を読出し、メインメモリ２０に展開して記憶させた上で当該プログラムを実行することにより、このサイネージ装置１を統括して制御する。
【００２８】
上記ＣＰＵ１９は、操作部２２からの操作信号に応じて各種投影動作を実行する。この操作部２２は、サイネージ装置１の本体に備える、電源キーを含むいくつかの操作キーのキー操作信号を受付け、受付けた操作に応じた信号を上記ＣＰＵ１９へ送出する。
【００２９】
上記ＣＰＵ１９はさらに、上記システムバスＳＢを介して、人感センサ２３（１Ｃ）、撮像部２４（１Ｄ）、画像認識部２５、ブルートゥース（登録商標）コントローラ２６、及び無線ＬＡＮインタフェース（Ｉ／Ｆ）２７と接続される。  
人感センサ２３（１Ｃ）は、上述した如く焦電素子を用いて構成され、サイネージ装置１の前方に存在する人物が放射する赤外線の有無によって、サイネージ装置１前方に人物が存在するか否かを検出するために設けられる。
【００３０】
撮像部２４（１Ｄ）は、ＣＰＵ１９からの指示に従ってサイネージ装置１の前方を撮影し、得られる画像データを画像認識部２５へ出力する。画像認識部２５は、撮像部２４からの画像データに対する輪郭抽出処理、パターンマッチング処理等を含む画像認識処理により、撮像部２４で撮影した画像中の人物の有無と配置とを認識して、その認識結果をＣＰＵ１９へ出力する。
【００３１】
ブルートゥース（登録商標）コントローラ２６は、ブルートゥース（登録商標）アンテナ２８を介して近距離に存在する上記リスト端末３等に対して上記ビーコン信号ＢＣを発信する。
【００３２】
無線ＬＡＮインタフェース２７は、無線ＬＡＮアンテナ２９を介して上記ネットワークＮＷと無線接続し、必要なデータの送受を行なう。
【００３３】
続く図３により、上記リスト端末３内の電子回路の機能構成についても説明する。同図で、上記表示入力部３Ａは、操作部３１と表示部３２とから構成される。操作部３１は、表示部３２上に一体に形成された、透明導電膜を用いたタッチパネルと、リスト端末３の筐体に設けられたいくつかの操作ボタンであり、この操作部３１から操作位置の座標値列の情報や操作ボタンの操作信号等が第１ＣＰＵ３３に送出される。
【００３４】
なお上記操作部３１の一部を構成する操作ボタンとして、常用する第１候補のアプリを起動させるための第１の操作ボタンと、同じく常用する第１候補のアプリを起動させるための第２の操作ボタンを有するものとする。
【００３５】
また表示部３２は、カラー液晶パネルとバックライト機構、及びそれらのドライバ回路で構成されるもので、第１ＣＰＵ３３から与えられる情報等を表示する。
【００３６】
第１ＣＰＵ３３は、第２ＣＰＵ３４と共にこのリスト端末３の制御部ＣＴＲを構成するもので、第１ＣＰＵ３３に対してメモリ３５及び無線部３６が接続される。
【００３７】
メモリ３５は、第１ＣＰＵ３３の制御動作のためのＯＳ（オペレーティングシステム）及びこのＯＳに準拠した各種アプリや、各種データ等を不揮発的に記憶するＲＯＭと、第１ＣＰＵ３３のワークメモリとして機能するＲＡＭとで構成される。
【００３８】
無線部３６は、無線ＬＡＮアンテナ３７及びブルートゥース（登録商標）アンテナ３８を接続し、リスト端末３外部の上記スマートフォン２やサイネージ装置１等の機器と無線ＬＡＮ技術またはブルートゥース（登録商標）技術によりデータの送受を行なう。
【００３９】
第２ＣＰＵ３４は、上記第１ＣＰＵ３３に比して演算処理能力、及び動作クロックが大幅に低い反面、第１ＣＰＵ３３の略１／１０程度の消費電力で動作可能なマイクロコンピュータであり、この第２ＣＰＵ３４に対してジャイロセンサ３９、加速度センサ４０、地磁気センサ４１、及び心拍センサ４２からの各検知信号が入力される。
【００４０】
ジャイロセンサ３９は、ＭＥＭＳ（Ｍｉｃｒｏ  Ｅｌｅｃｔｒｏ  Ｍｅｃｈａｎｉｃａｌ  Ｓｙｓｔｅｍｓ）技術を用いた、例えば振動型ジャイロセンサで構成され、このリスト端末３の空間中での変位に基づく角速度を検知して、その検知信号を上記第２ＣＰＵ３４へ出力する。
【００４１】
加速度センサ４０は、例えば半導体ピエゾ抵抗型の３軸加速度センサで構成され、３次元空間における重力加速度の方向からこのリスト端末１０の姿勢を検知して、その検知信号を上記第２ＣＰＵ３４へ出力する。
【００４２】
地磁気センサ４１は、例えば磁気インピーダンス素子で構成され、磁北の方向を検知して、その検知信号を上記第２ＣＰＵ３４へ出力する。
【００４３】
心拍センサ４２は、例えばリスト端末３のバンド内周に埋設された赤外線センサにより、血管内の血流の脈動を検知して、その検知信号を上記第２ＣＰＵ３４へ出力する。
【００４４】
第２ＣＰＵ３４は、第１ＣＰＵ３３がスリープ状態にあるとき、ジャイロセンサ３９、加速度センサ４０、地磁気センサ４１、及び心拍センサ４２の各検知出力を定時的に入力し、必要により第１ＣＰＵ３３を起動させる一方で、必要ないと判断した場合にはそれら検知出力を一時的に保持することで、後に第１ＣＰＵ３３を起動してデータを外部に送信するまで保留しておく。
【００４５】
なお上記スマートフォン２のハードウェア回路の構成等については、きわめて一般的な周知の技術であるものとして、その図示と説明とを省略する。
【００４６】
次に上記実施形態の動作について説明する。  
なお以下に説明する動作において、この店を訪れる顧客が所持する上記リスト端末３及びスマートフォン２には、予め当該店舗の顧客サービス専用のアプリがインストールされているものとする。当該アプリは、ブルートゥース（登録商標）  ＬＥ規格のＰＸＰ（ｔｈｅ  ＰｒｏＸｉｍｉｔｙ  Ｐｒｏｆｉｌｅ）と呼称される、対象のものが近くにあるかどうかを調べるためのプロファイル（アプリ上でどのように動くかを定めた仕様）を用いる。
【００４７】
図４は、サイネージ装置１においてコンテンツメモリ１１に記憶されたコンテンツデータを再生する際の処理内容を示すフローチャートである。この処理は、ＣＰＵ１９がプログラムメモリ２１から上記顧客サービス専用のアプリを含む動作プログラムや定型データ等をプログラムメモリ２１から読出し、メインメモリ２０に展開して記憶させた上で実行する内容を示す。
【００４８】
その処理当初にＣＰＵ１９は、予め設定されている、通常の一般向けコンテンツデータ、例えばその時点で販売促進対象となっている商品の宣伝用コンテンツデータをコンテンツメモリ１１から読出し、画像データと音声データそれぞれの再生を行なうことで、投影レンズ部１６から出射した画像をスクリーンパネル１Ｂ背面側から投影させると共に、スピーカ部１８より音声を出力させる（ステップＳ１０１）。
【００４９】
併せてＣＰＵ１９は上記撮像部２４（１Ｄ）によりサイネージ装置１前方の画像を撮影させ、得られる画像に対する画像認識処理を画像認識部２５により実行させることで、サイネージ装置１の前に顧客が存在するか否か、存在する場合には何人かを認識する（ステップＳ１０２）。
【００５０】
その認識結果から、ＣＰＵ１９は少なくとも一人の顧客が存在したか否かを判断する（ステップＳ１０３）。
【００５１】
ここでサイネージ装置１の前に一人の顧客も存在しないと判断した場合（ステップＳ１０３のＮｏ）、ＣＰＵ１９は上記ステップＳ１０１からの処理に戻り、一般向けコンテンツデータの再生を継続する。
【００５２】
こうしてＣＰＵ１９は上記ステップＳ１０１〜Ｓ０３の処理を繰返し実行し、一般向けコンテンツデータの再生を継続しながら、サイネージ装置１の前に顧客が来るのを待機する。
【００５３】
サイネージ装置１の前に顧客が現れた場合、上記ステップＳ１０３において少なくとも一人の顧客が存在することを判断すると（ステップＳ１０３のＹｅｓ）、次にＣＰＵ１９は顧客の人数が一人であるか否かを判断する（ステップＳ１０４）。
【００５４】
ここで顧客の人数が一人ではなく複数であると判断した場合（ステップＳ１０４のＮｏ）、ＣＰＵ１９は次に、ブルートゥース（登録商標）アンテナ２８、ブルートゥース（登録商標）コントローラ２６を介して得られる、上記ビーコン信号ＢＣに対して応答のあった端末の数が、画像から認識できている顧客の数と同じであるかにより、その時点でサイネージ装置１の前に存在する顧客が全員予め当該店舗の顧客サービスに登録している顧客であるか否かを判断する（ステップＳ１０９）。
【００５５】
ビーコン信号ＢＣに対して応答のあった端末の数が、画像から認識できている顧客の数と同じであり、その時点でサイネージ装置１の前に存在する顧客は全員予め当該店舗の顧客サービスに登録している顧客であると判断した場合（ステップＳ１０９のＹｅｓ）、ＣＰＵ１９は顧客全員が装着しているリスト端末３の第１の操作ボタンに対応付けて登録されている、第１候補のアプリに関する情報を各リスト端末３から取得する（ステップＳ１１０）。
【００５６】
ＣＰＵ１９は、取得した各リスト端末の第１候補のアプリ情報に基づいて、コンテンツメモリ１１に記憶されているコンテンツデータ、あるいは新たにサーバ装置ＳＶにリクエストを要求して、送られてくるコンテンツデータを受信することで、対応するコンテンツデータを選択した上で、予めそのコンテンツデータに設定される、会員限定の特典となる情報を含むコンテンツデータを作成する（ステップＳ１１１）。
【００５７】
そして、作成したコンテンツデータに基づいて、画像データと音声データそれぞれの再生を所定の時間行なった（ステップＳ１０６）後、上記ステップＳ１０１からの処理に戻り、通常の一般向けコンテンツの再生を再開する。
【００５８】
図５は、このときサイネージ装置１のスクリーンパネル１Ｂで投影、表示される画像を例示する図である。このとき、多数の顧客のリスト端末３で第１候補のアプリ情報が例えば「ダイビングサポート用のアプリ」であった場合に、ダイビングスポットが多数存在する沖縄旅行が抽選で当たるキャンペーンが実施中であることを特典としたコンテンツデータを選択して表示させた例を示す。
【００５９】
このコンテンツデータの再生を終了すると、その後に再び上記ステップＳ１０１からの処理に戻って、通常の一般向けコンテンツデータの再生に復帰する。
【００６０】
また上記ステップＳ１０９において、ビーコン信号ＢＣに対して応答のあった端末の数が、画像から認識できている顧客の数と同じではなく、その時点でサイネージ装置１の前に存在する顧客は、全員が予め当該店舗の顧客サービスに登録している顧客ではないと判断した場合（ステップＳ１０９のＮｏ）、ＣＰＵ１９は当該店舗の顧客サービスに登録している顧客が装着しているリスト端末３の第１の操作ボタンに対応付けて登録されている、第１候補のアプリに関する情報を各リスト端末３から取得した上で（ステップＳ１１２）、取得したアプリ情報に基づいて、コンテンツメモリ１１から部分的な画像を示すコンテンツを選択し、現時点で選択している画像コンテンツに嵌め込み合成した画像コンテンツを作成する（ステップＳ１１３）。
【００６１】
そして、作成したコンテンツデータに基づいて、画像データと音声データそれぞれの再生を所定の時間行なった（ステップＳ１０６）後、上記ステップＳ１０１からの処理に戻り、通常の一般向けコンテンツの再生を再開する。
【００６２】
このときスクリーンパネル１Ｂで表示される画像は、通常の一般向けのコンテンツの画像の一部に、顧客サービスに登録している顧客が装着しているリスト端末３から取得した、第１候補のアプリに関する情報を部分的に合成したものであり、一般の顧客と当該店舗の顧客サービスに登録している顧客の双方に対するコンテンツを同時に提供できる。
【００６３】
また上記当該店舗の顧客サービスに登録している顧客に提供する画像としては、例えば顧客サービスに登録している会員顧客のみがアクセス可能な特典が記載されているウェブサイトへ誘導するＵＲＬ（Ｕｎｉｆｏｒｍ  Ｒｅｓｏｕｒｃｅ  Ｌｏｃａｔｏｒ）を二次元バーコード化した画像を表示するなどして、一般の顧客には特典情報を直接提示しないことで、無用に不公平感を抱かせることなく、会員となっている顧客に特典をサービスすることができる。
【００６４】
また上記ステップＳ１０４において、顧客の人数が一人であると判断した場合（ステップＳ１０４のＹｅｓ）、ＣＰＵ１９は次に、ブルートゥース（登録商標）アンテナ２８、ブルートゥース（登録商標）コントローラ２６を介して、上記ビーコン信号ＢＣに対する応答が得られるか否かにより、その時点でサイネージ装置１の前に存在する一人の顧客が、予め当該店舗の顧客サービスに登録している顧客であるか否かを判断する（ステップＳ１０５）。
【００６５】
ここで上記ビーコン信号ＢＣに対する応答が得られず、顧客は当該店舗の顧客サービスに登録している顧客ではないと判断した場合（ステップＳ１０５のＮｏ）、ＣＰＵ１９はその時点で再生しているコンテンツデータを変化させることなく、そのまま上記ステップＳ１０６に進んで、通常の一般向けコンテンツの再生を最後まで実行した後、上記ステップＳ１０１からの処理に戻り、通常の一般向けコンテンツを再び再生する。
【００６６】
また上記ステップＳ１０５において、上記ビーコン信号ＢＣに対する応答が得られ、顧客は当該店舗の顧客サービスに登録している顧客であるとと判断した場合（ステップＳ１０５のＹｅｓ）、ＣＰＵ１９は顧客が装着しているリスト端末３の第１の操作ボタンと第２の操作ボタンに対応付けて登録されている、第１候補及び第２候補の各アプリに関する情報を各リスト端末３から取得する（ステップＳ１０７）。
【００６７】
ＣＰＵ１９は、取得したリスト端末の第１候補及び第２候補のアプリ情報に基づいて、コンテンツメモリ１１に記憶されているコンテンツデータ、あるいは新たにサーバ装置ＳＶにリクエストを要求して、送られてくるコンテンツデータを受信することで、対応するコンテンツデータを選択した上で、さらにそのコンテンツデータに対応して設定される、会員限定の特典となる情報を付加したコンテンツデータを作成する（ステップＳ１０８）。
【００６８】
そして、作成したコンテンツデータに基づいて、画像データと音声データそれぞれの再生を所定の時間行なった（ステップＳ１０６）後、上記ステップＳ１０１からの処理に戻り、通常の一般向けコンテンツの再生を再開する。
【００６９】
図６は、このときサイネージ装置１のスクリーンパネル１Ｂで投影、表示される画像を例示する図である。このとき、サイネージ装置１前に存在する唯一の顧客のリスト端末３で、第１候補のアプリ情報が、例えば釣果を記録するなどの「フィッシングサポート用のアプリ」、第２候補のアプリ情報が「フィッシング」に関連した「タイド（満潮／干潮）グラフ表示アプリ」であった場合に、例えば沖縄旅行が抽選で当たるキャンペーンが実施中であることに加えて、沖縄で一般的な食用魚であるグルクン（和名：タカサゴ）の釣りツアーへの参加券が当たる可能性があることをさらに特典としたコンテンツデータを選択して表示させた例を示す。
【００７０】
このコンテンツデータの再生を終了すると、その後に再び上記ステップＳ１０１からの処理に戻って、通常の一般向けコンテンツデータの再生に復帰する。
【００７１】
なお上記実施形態では、単にリスト端末３の操作ボタンに割当てられた、常用しているアプリの内容からコンテンツデータを選択する場合について説明したが、その他にも、例えばリスト端末３で心拍センサ４２を用いて記録している心拍数等の生体情報のログ、ジャイロセンサ３９、加速度センサ４０の出力で得られる移動量や歩数、スケジュールデータの内容など、顧客の趣味や嗜好、生体情報、行動パターンなど、顧客に適すると思われる情報を種々取得することが考えられる。
また上記実施形態では、サイネージ装置１の本体筐体１Ａからビーコン信号ＢＣを発信して、当該ビーコン信号ＢＣを受信可能なリスト端末３を特定端末として認識するようにしたが、他の無線規格を用いて行なってもよい。
【００７２】
以上詳述した如く本実施形態によれば、視聴可能な範囲に存在する人物が如何なる人物であれ、それぞれに最適な情報提供を行なうことが可能となる。
【００７３】
加えて上記実施形態では、特定人物が適合した条件に応じた、より訴求力の高いコンテンツを表示できる。
【００７４】
また上記実施形態では、特定人物ではなかった場合でも、広く一般的な訴求力を有するコンテンツを表示できる。
【００７５】
加えて上記実施形態では、装置周囲で特定人物が一人のみで存在している場合に、当該特定人物に向けた、さらなる訴求力の高いコンテンツを表示できる。
なお上記実施形態では示さなかったが、特定人物が複数存在する場合には、あえて個々の特定人物の所望する内容を避けて、広く一般的な訴求力を有するコンテンツを表示することにより、複数の特定人物それぞれの興味に偏らないコンテンツを表示させることも考えられる。
【００７６】
一方で上記実施形態に示したように、広く一般的な訴求力を有するコンテンツと、特定人物が興味を持ちそうなコンテンツとを混在して表示させるものとしても良く、より自然な形態で特定人物にも興味を持っていただけそうなコンテンツを表示できる。
【００７７】
また上記実施形態は、表示装置が視認可能な範囲に存在する人物が、予め設定された近距離無線信号の発信に応答する機器を所有しているか否かにより特定人物か否かを判定するものとしたので、特定人物になんらかの装置に対する操作等の負担をかけることなく、より自然に所望するコンテンツを表示する状態に移行できる。
【００７８】
その場合、特定人物が所持する機器で常用しているアプリケーションプログラムの属性が把握できれば、当該特定人物の嗜好に応じたコンテンツが表示できる。
【００７９】
なお上記実施形態で説明した無線ＬＡＮ技術や近距離無線通信技術等、あるいは画像を表示する装置の投影方式等は、本発明の範囲を限定するものではない。
また上記実施形態では、サイネージ装置１は無線によりネットワークＮＷと接続して必要なデータの送受を行なうものとして説明したが、有線によりネットワークＮＷに接続するものとしてもよい。
【００８０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８１】
以下に、本願出願の当初の特許請求の範囲に記載された発明を付記する。  
［請求項１］  
表示装置であって、  
当該表示装置が視認可能な範囲に存在する人物が、予め設定された条件に適合する特定人物か否かを判定する第１の判定手段と、  
上記第１の判定手段での判定結果に応じて、当該表示装置で表示するコンテンツまたはその表示態様を決定する表示制御手段と、  
を備える表示装置。  
［請求項２］  
上記表示制御手段は、上記第１の判定手段により特定人物であると判定した場合、当該特定人物に向けたコンテンツを表示するように制御する請求項１記載の表示装置。  
［請求項３］  
上記表示制御手段は、上記第１の判定手段により特定人物ではないと判定した場合、不特定多数に向けたコンテンツを表示するように制御する請求項１または２記載の表示装置。  
［請求項４］  
当該表示装置が視認可能な範囲に存在する人物の人数を判定する第２の判定手段をさらに備え、  
上記表示制御手段は、上記第１の判定手段により特定人物であると判定し、且つ上記第２の判定手段により人物が一人と判定した場合、当該特定人物に向けたコンテンツを表示するように制御する  
請求項１乃至３いずれか記載の表示装置。  
［請求項５］  
上記表示制御手段は、上記第１の判定手段により特定人物であると判定し、且つ上記第２の判定手段により人物が複数人と判定した場合、不特定多数に向けたコンテンツを表示するように制御する  
請求項４記載の表示装置。  
［請求項６］  
上記表示制御手段は、上記第１の判定手段により少なくとも一人の人物が特定人物であると判定し、且つ上記第２の判定手段により人物が複数人と判定した場合、不特定多数に向けたコンテンツと当該特定人物に向けたコンテンツとを合成して表示するように制御する  
請求項４記載の表示装置。  
［請求項７］  
上記表示制御手段は、上記特定人物に向けたコンテンツまたは上記特定人物ではない不特定多数に向けたコンテンツと特定人物に向けたコンテンツとを合成したコンテンツを表示した後、上記不特定多数に向けたコンテンツを表示するように制御する  
請求項４または６記載の表示装置。  
［請求項８］  
上記第１の判定手段は、当該表示装置が視認可能な範囲に存在する人物が、予め設定された近距離無線信号の発信に応答する機器を所有しているか否かにより特定人物か否かを判定する請求項１乃至７いずれか記載の表示装置。  
［請求項９］  
上記表示制御手段は、上記特定人物が所有している上記機器から、常用しているアプリケーションプログラムの属性情報を取得し、取得したアプリケーションプログラムの属性情報に基づいて当該特定人物に向けたコンテンツを表示することを特徴とする請求項８記載の表示装置。  
［請求項１０］  
表示装置での表示方法であって、  
当該表示装置が視認可能な範囲に存在する人物が、予め設定された条件に適合する特定人物か否かを判定する判定工程と、  
上記判定工程での判定結果に応じて、当該表示装置で表示するコンテンツまたはその表示態様を決定する表示制御工程と、  
を有する表示方法。  
［請求項１１］  
表示装置が内蔵したコンピュータが実行するプログラムであって、上記コンピュータを、  
当該表示装置が視認可能な範囲に存在する人物が、予め設定された条件に適合する特定人物か否かを判定する判定手段、及び  
上記判定手段での判定結果に応じて、当該表示装置で表示するコンテンツまたはその表示態様を決定する表示制御手段、  
として機能させるプログラム。
【符号の説明】
【００８２】
１…サイネージ装置、
１Ａ…本体筐体、
１Ｂ…スクリーンパネル、
１Ｃ…人感センサ、
１Ｄ…カメラ部、
２…スマートフォン、
３…リスト端末、
３Ａ…表示入力部、
１１…コンテンツメモリ、
１２…投影画像駆動部、
１３…マイクロミラー素子、
１４…光源部、
１５…ミラー、
１６…投影レンズ部、
１７…音処理部、
１８…スピーカ部、
１９…ＣＰＵ、
２０…メインメモリ、
２１…プログラムメモリ、
２２…操作部、
２３…人感センサ、
２４…撮像部、
２５…画像認識部、
２６…ブルートゥース（登録商標）コントローラ、
２７…無線ＬＡＮインタフェース、
２８…ブルートゥース（登録商標）アンテナ、
２９…無線ＬＡＮアンテナ、
３１…操作部、
３２…表示部、
３３…第１ＣＰＵ、
３４…第２ＣＰＵ、
３５…メモリ、
３６…無線部、
３７…無線ＬＡＮアンテナ、
３８…ブルートゥース（登録商標）アンテナ、
３９…ジャイロセンサ、
４０…加速度センサ、
４１…地磁気センサ、
４２…心拍センサ、
ＣＴＲ…コントローラ、
ＮＷ…ネットワーク、
ＳＢ…システムバス、
ＳＶ…サーバ装置。
【図１】
2018045166.tif 000003
【図２】
2018045166.tif 000004
【図３】
2018045166.tif 000005
【図４】
2018045166.tif 000006
【図５】
2018045166.tif 000007
【図６】
2018045166.tif 000008